(57)【要約】【課題】  足場本体を躯体部に接近移動させるときに足場用締結具を躯体部に衝突させてしまう危険性を低減する。【解決手段】  躯体部の一部である躯体外壁部１１に足場本体１２を締結する足場用締結具１６は、締結アーム１７に設けられ長手方向に移動自在の押圧部材２９と、足場本体１２側で締結アーム１７に揺動自在に支持される延設部３３及び押圧部材２９とにより躯体外壁部１１を挟み込むことにより足場本体１２を躯体外壁部１１に締結するストッパ部３４を備える揺動部材３２とを有している。揺動部材３２は、躯体外壁部１１の内側に押圧部材２９が配置され躯体外壁部１１の外側にストッパ部３４が配置されるように躯体外壁部１１に向けて足場本体１２を接近移動させるときストッパ部３４が躯体外壁部１１から離れる方向に回転移動する。【選択図】    図５
2006348665.tif 000002
【特許請求の範囲】
【請求項１】
建築物の外壁に沿って配置される複数本の垂直支柱と前記垂直支柱を相互に連結する水平梁材とを備える足場本体を前記建築物の躯体部に締結する足場用締結具であって、
基端部が前記足場本体に取り付けられる締結アームに設けられ、前記締結アームの長手方向に移動して前記躯体部の内側に着脱自在に締結される押圧部材と、
前記締結アームの底面に対向して長手方向に沿って設けられ前記足場本体側で前記締結アームに揺動自在に支持される延設部、及び前記延設部に対して直角に一体として設けられ前記押圧部材とにより前記躯体部を挟み込むことにより前記足場本体を前記躯体部に締結するストッパ部を備える揺動部材とを有し、
前記躯体部の内側に前記押圧部材が配置され前記躯体部の外側に前記ストッパ部が配置されるように前記躯体部に向けて前記足場本体を接近移動させるとき前記揺動部材は前記ストッパ部が前記躯体部から離れる方向に回転移動し、前記延設部を前記躯体部の上面に接触させることにより前記揺動部材は前記ストッパ部が前記躯体部の外面に接触する方向に回転移動することを特徴とする足場用締結具。
【請求項２】
請求項１記載の足場用締結具において、前記締結アームは前記足場本体に対してヒンジ結合されることにより、前記締結アームが前記躯体部の内側に向けて突出する締結位置と、前記外壁に沿って配置される衝突回避位置とに旋回することを特徴とする足場用締結具。
【発明の詳細な説明】
【技術分野】
【０００１】
本発明は建築物の外側に配置される足場本体を建築物の躯体部に締結する足場用締結具に関する。
【背景技術】
【０００２】
中層ないし高層の建築物を建築する際には、地上から足場を組み上げていくことが困難であることから、建築物の外側に配置される足場本体を建築物の建築作業に伴って移動させる、即ち盛り替えるようにした技術が開発されている。足場本体は建築物の外壁に沿って配置される複数本の垂直支柱とこれらの垂直支柱を相互に連結する水平梁材とを備えており、現場作業員が足場本体に乗り込んで外面塗装作業等の建築作業を行う間は建築物の躯体部に締結される。所定の建築作業を終えると足場本体自体は解体されることなく躯体部から取り外され、クレーンやホイスト等の起重機により所定の階数まで搬送され、躯体部に再び締結されることになる。このような足場本体の盛り替え作業においては、起重機の誤操作や強風の影響により足場本体が躯体部に衝突することのないように、従来、躯体部にガイドプレートやガイドローラ等の案内部材を装着するとともに、この案内部材により案内されるガイドレールを足場本体に設けることにより、足場本体の移動を安定させるようにした技術が開発されている。
【発明の開示】
【発明が解決しようとする課題】
【０００３】
従来、足場本体を躯体部に締結するための足場用締結具として、基端部が足場本体に取り付けられる締結アームを躯体部の一部を構成する躯体外壁部に掛け渡すとともに、締結アームの先端部側に設けられ躯体外壁部を内側から押圧するねじ部材と締結アームの中間部に固定されるストッパ部材とにより躯体外壁部を挟み込むことにより、足場本体を躯体部に締結するようにしたものがある。このような足場用締結具を用いて躯体部に対する締結作業を行う場合には、クレーン等の起重機を操作して躯体外壁部に向けて足場本体を接近移動させることにより、躯体外壁部の内側にねじ部材を配置し躯体外壁部の外側にストッパ部材を配置する必要がある。ところが、躯体外壁部の配置や寸法には建築誤差があり、この建築誤差を吸収するためにガイドレールと案内部材との間に一定の隙間を設ける必要があることから、その隙間の分だけ足場本体の移動が安定せず、足場本体を接近移動させる際にストッパ部材を躯体外壁部の上面に衝突させてしまうおそれがあった。
【０００４】
本発明の目的は足場本体を躯体部に接近移動させるときに足場用締結具を躯体部に衝突させてしまう危険性を低減することにある。
【０００５】
本発明の他の目的は足場本体の盛り替え作業を迅速に行うことが可能な足場用締結具を提供することにある。
【課題を解決するための手段】
【０００６】
本発明の足場用締結具は、建築物の外壁に沿って配置される複数本の垂直支柱と前記垂直支柱を相互に連結する水平梁材とを備える足場本体を前記建築物の躯体部に締結する足場用締結具であって、基端部が前記足場本体に取り付けられる締結アームに設けられ、前記締結アームの長手方向に移動して前記躯体部の内側に着脱自在に締結される押圧部材と、前記締結アームの底面に対向して長手方向に沿って設けられ前記足場本体側で前記締結アームに揺動自在に支持される延設部、及び前記延設部に対して直角に一体として設けられ前記押圧部材とにより前記躯体部を挟み込むことにより前記足場本体を前記躯体部に締結するストッパ部を備える揺動部材とを有し、前記躯体部の内側に前記押圧部材が配置され前記躯体部の外側に前記ストッパ部が配置されるように前記躯体部に向けて前記足場本体を接近移動させるとき前記揺動部材は前記ストッパ部が前記躯体部から離れる方向に回転移動し、前記延設部を前記躯体部の上面に接触させることにより前記揺動部材は前記ストッパ部が前記躯体部の外面に接触する方向に回転移動することを特徴とする。
【０００７】
本発明の足場用締結具は、前記締結アームは前記足場本体に対してヒンジ結合されることにより、前記締結アームが前記躯体部の内側に向けて突出する締結位置と、前記外壁に沿って配置される衝突回避位置とに旋回することを特徴とする。
【発明の効果】
【０００８】
本発明によれば、建築物の躯体部の内側に押圧部材が配置され躯体部の外側に揺動部材のストッパ部が配置されるように躯体部に向けて足場本体を接近移動させるとき揺動部材はストッパ部が躯体部から離れる方向に回転移動することにより、ストッパ部を躯体部の上面に衝突させてしまう危険性を低減することが可能である。躯体部の上面に揺動部材の延設部を接触させることによりストッパ部を躯体部に近付ける方向に回転移動させて躯体部の外面に接触させることができ、この状態のもとで押圧部材を躯体部に向けて移動させて躯体部を内側から押圧することにより、ストッパ部と押圧部材とにより躯体部を挟み込んで、躯体部に対して足場本体を締結することができる。足場用締結具を足場本体に取り付けた状態で足場本体の盛り替えを行うことにより、現場作業員が足場用締結具を持ち運ぶ手間が省け、現場作業員の負担が軽減される。
【０００９】
本発明によれば、足場本体を建築物に近付けたり外壁に沿って移動させたりする際には、締結アームを衝突回避位置に旋回させることで締結アームと建築物との衝突を防止することができる。また、足場本体を躯体部に締結する際には、締結アームを締結位置に旋回させて締結アームを躯体部の内側に向けて突出させた状態で足場本体を降下させることにより、躯体部の内側に押圧部材を配置するとともに躯体部の外側にストッパ部を配置することができ、足場本体の盛り替え作業を迅速に行うことができる。
【発明を実施するための最良の形態】
【００１０】
以下、本発明の実施の形態を図面に基づいて詳細に説明する。図１は足場本体を躯体外壁部に締結した状態を示す外観斜視図である。図１には建築中であるマンションやオフィスビル等の建築物１０が示されており、建築物１０は躯体部の一部を構成するとともにフロアの床面より上方に向けて突出する躯体外壁部１１を有しており、躯体外壁部１１の外面は建築物１０の外壁を構成している。
【００１１】
建築物１０の外側には、建築中の外壁の一部を覆うように足場本体１２が配置されている。この足場本体１２は建築物１０の外壁に沿って配置される複数本の垂直支柱１３と、これらの垂直支柱１３を相互に連結する水平梁材１４とを備えており、垂直支柱１３には長手方向に沿って所定の間隔毎に複数のピン孔１５が水平方向に貫通して形成されている。図示する場合においては、垂直支柱１３に対して本発明の一実施の形態である足場用締結具１６が取り付けられており、この足場用締結具１６を用いることにより足場本体１２が建築物１０の躯体部の一部を構成する躯体外壁部１１に対して着脱自在に締結されている。
【００１２】
図２（Ａ）は図１に示す本発明の一実施の形態である足場用締結具を示す斜視図であり、図２（Ｂ）は揺動部材を示す斜視図である。足場用締結具１６は、基端部が垂直支柱１３に旋回自在に取り付けられる締結アーム１７を有しており、図示する場合には、締結アーム１７の基端部には締結アーム１７に対して直角方向に伸びる補助部材１８が固定されており、補助部材１８の上端部には締結アーム１７の先端部に固定される補強部材１９が固定されている。
【００１３】
垂直支柱１３に対向して配置される補助部材１８の外面には回転軸２０を形成する棒状部材が補助部材１８の長手方向に沿って固定されており、回転軸２０の両端には回転軸２０の端部に回転自在に装着される筒部２１と、筒部２１に一体として設けられるとともにピン孔２２が水平方向に貫通して形成される連結部２３とにより構成される旋回金具２４が装着されている。足場用締結具１６は、図１に示すように、旋回金具２４のピン孔２２を垂直支柱１３のピン孔１５に連通させた状態でピン孔１５，２２のそれぞれにピン部材２５を挿入することにより、垂直支柱１３に対して着脱自在かつ旋回自在に取り付けられるようになっている。なお、ピン孔２２のそれぞれは、垂直支柱に形成されるピン孔１５の間隔に対応させて形成されている。
【００１４】
このように、足場用締結具１６の締結アーム１７は足場本体１２に対してヒンジ結合されることにより、図１に示すように締結アーム１７が躯体外壁部１１の内側に向けて突出する締結位置と、外壁に沿って配置される衝突回避位置とに旋回自在となっている。なお、筒部２１のそれぞれには、締結アーム１７が締結位置にあるときに回転軸２０に形成された図示しない回転止め孔に連通する回転止め孔２１ａが貫通して形成されており、この回転止め孔２１ａに回転止めピン２６を挿入することにより、締結アーム１７を締結位置で保持することができるようになっている。
【００１５】
締結アーム１７の先端部には上下方向に摺動する摺動部材２７を保持する保持部材２８が固定されており、摺動部材２７の下端部には締結アーム１７の長手方向に移動自在の押圧部材２９がねじ結合されている。押圧部材２９は摺動部材２７にねじ結合されるねじ部２９ａと、ねじ部２９ａの先端に設けられる押圧部２９ｂとを有しており、図示しない回転工具を用いてねじ部２９ａを回転させることにより押圧部材２９を締結アーム１７の長手方向に沿って移動させることができる。
【００１６】
締結アーム１７には長手方向に沿って所定の間隔毎に複数の取付け孔３０が水平方向に貫通して形成されており、これらの取付け孔３０のいずれか１つには揺動軸３１が回転自在に挿入されており、この揺動軸３１を介して締結アーム１７には揺動部材３２が揺動自在に取り付けられるようになっている。
【００１７】
揺動部材３２は締結アーム１７の底面に対向して長手方向に沿って設けられる断面凹形状の延設部３３を備えており、この延設部３３の足場本体１２側、つまり補助部材１８側には揺動軸３１が装着される揺動軸孔３３ａが水平方向に貫通して形成されている。更に、揺動部材３２は延設部３３に対して直角に一体として設けられるブロック状のストッパ部３４を備えており、延設部３３の補助部材１８側とストッパ部３４の外面側には直角三角形状の補強用プレート３５が固定されている。
【００１８】
このような揺動部材３２は、締結アーム１７の底面と延設部３３との間に僅かな隙間を設けた状態でいずれか１つの取付け孔３０と揺動軸孔３３ａとに揺動軸３１を装着することにより、揺動軸３１を介して締結アーム１７に支持されるとともに、揺動軸３１を回転中心として延設部３３が締結アーム１７の底面に当接する範囲内で揺動自在となっている。揺動部材３２は、足場本体１２側に配置される揺動軸３１を介して支持されることから、足場用締結具１６を垂直支柱１３に取り付けた状態ではストッパ部３４が押圧部材２９から遠ざかる方向に延設部３３が締結アーム１７の底面に当接する位置まで回転移動するようになっている。
【００１９】
図１に示す足場本体１２には、垂直支柱１３に平行して垂直に伸びるガイドレール３６と、このガイドレール３６と垂直支柱１３との間に配置され垂直支柱１３に平行して垂直に伸びる中間支柱３８とが設けられている。ガイドレール３６と中間支柱３８には複数の水平棒材３７が固定されており、中間支柱３８と垂直支柱１３は中間支柱３８と垂直支柱１３のそれぞれに着脱自在に締結される複数の足場板支持梁４６を用いて相互に連結されており、垂直支柱１３、ガイドレール３６、及び中間支柱３８のそれぞれは水平棒材３７及び足場板支持梁４６を介して一体として移動するようになっている。このような足場本体１２を登攀移動させる際には、ガイドレール３６に躯体外壁部１１に着脱自在に締結されるガイドブラケット３９を取り付けることにより、ガイドブラケット３９によりガイドレール３６の水平方向の移動を制限して足場本体１２を安定した状態で移動させることができる。
【００２０】
図３は図１に示すガイドブラケットの斜視図である。このガイドブラケット３９は、長手方向に所定の間隔毎に複数の位置決め孔４０ａが水平方向に貫通して形成されるとともに躯体外壁部１１に掛け渡されるガイドアーム４０と、ガイドアーム４０に対して長手方向に摺動自在に装着される摺動ブロック４１と、摺動ブロック４１の下端部にねじ結合されガイドアーム４０の長手方向に移動自在のねじ部材４２とを有している。ガイドアーム４０を躯体外壁部１１に掛け渡した状態のもと、図示しない回転工具をねじ部材４２が躯体外壁部１１に向かう方向にねじ回すことにより、ねじ部材４２の先端に設けられた接触パッド４２ａを介して躯体外壁部１１の内面を押圧することができる。
【００２１】
ガイドアーム４０の先端部にはブロック状のストッパ部材４３がガイドアーム４０に対して直角に固定されており、ガイドレール３６に対向して配置されるガイドアーム４０及びストッパ部材４３のそれぞれの外面側には所定の間隔を隔てて一対のガイドプレート４４，４５が突出して設けられている。ガイドプレート４４，４５のそれぞれにはガイドレール３６の水平方向の移動を規制する係合片４４ａ，４５ａが設けられている。ガイドブラケット３９をガイドレール３６に取り付ける際には、現場作業員がガイドブラケット３９を持ち上げて約９０°傾けた状態で係合片４４ａ，４５ａの間にガイドレール３６を配置した後、図１に示す状態に戻して係合片４４ａ，４５ａとストッパ部材４３との間にガイドレール３６を配置し、次いで、ストッパ部材４３の内面を躯体外壁部１１の外面に接触させるようにガイドアーム４０を躯体外壁部１１の上面に掛け渡した後、ねじ部材４２をねじ回して接触パッド４２ａとストッパ部材４３とにより躯体外壁部１１を挟み込むようにしてガイドブラケット３９を躯体外壁部１１に締結する。
【００２２】
相互に隣り合って配置される足場板支持梁４６のそれぞれには足場板４７が掛け渡されるようになっており、現場作業員はこの足場板４７に乗り込んで外面塗装作業などの種々の建築作業を行う。また、垂直支柱１３のそれぞれには交差筋交い４８が取り付けられている。なお、図示はしないが、足場本体１２の外面には安全ネットが取り付けられており、現場作業員の安全と工具等の転落防止が図られている。このような足場本体１２は、クレーン等の起重機を用いることにより躯体外壁部１１に締結され、更に所定の作業終了後には、解体することなく一体として盛り替えることができるようになっている。
【００２３】
図４は足場本体を躯体外壁部に接近させている状態を示す図であり、図５は躯体外壁部に接近させた足場本体を降下させている状態を示す図である。足場本体１２を躯体外壁部１１に締結する際には、図４に示すように、クレーン等の起重機に連結されたワイヤ４９を用いて足場本体１２を所定の階層まで吊り上げた状態で躯体外壁部１１に接近させる。このとき、足場本体１２に足場用締結具１６を取り付けておき足場本体１２とともに足場用締結具１６を吊り上げるようにすることで、現場作業員が足場用締結具１６を持ち運ぶ手間を省くことができる。足場用締結具１６は躯体外壁部１１に衝突することのないように衝突回避位置に移動させてある。
【００２４】
足場本体１２を所定の位置まで接近させたら、図５に示すように、足場用締結具１６を締結位置に旋回移動させるとともに回転止めピン２６を用いて締結アーム１７を締結位置で保持する。次いで、足場本体１２を降下させることにより、建築物１０の躯体外壁部１１の内側に押圧部材２９が配置され躯体外壁部１１の外側にストッパ部３４が配置されるように躯体外壁部１１の上面に締結アーム１７を掛け渡す。足場用締結具１６の移動を安定させるために、ガイドレール３６にはガイドブラケット３９が取り付けられる。
【００２５】
図６はガイドレールにガイドブラケットを取り付けた状態を上側から示す図であり、図７は躯体外壁部に向けて足場用締結具を降下させているときの揺動部材の回転状態を拡大して示す説明図であり、図７（Ａ）は躯体部接触前の揺動部材を示し、図７（Ｂ）は躯体部接触後の揺動部材を示す。一般に、躯体外壁部１１のそれぞれの配置や寸法には建築誤差があることから、図６に示すように、ガイドレール３６と案内部材としてのガイドブラケット３９との間には建築誤差を吸収するための隙間ａを設ける必要があり、この隙間ａの分だけ足場本体１２の移動が安定しない。
【００２６】
足場用締結具１６の揺動部材３２は、図７（Ａ）に示すように、躯体外壁部１１に向けて足場用締結具１６を降下つまり接近移動させているときには、ストッパ部３４が躯体外壁部１１から離れる方向に回転移動しており、ストッパ部３４を躯体外壁部１１の上面に衝突させることなく迅速に躯体外壁部１１に対して締結アーム１７を接近させることができる。揺動部材３２が躯体外壁部１１に接近してその延設部３３が躯体外壁部１１の上面に接触すると、これに伴って揺動部材３２が躯体外壁部１１に向けて回転移動してストッパ部３４の内面が躯体外壁部１１の外面に接触する（図７（Ｂ）参照）。
【００２７】
図８は足場本体を躯体外壁部に締結した状態を示す図である。躯体外壁部１１の外面にストッパ部３４の内面を接触させた状態で、回転工具を用いてねじ部２９ａを回転させることにより押圧部材２９を躯体外壁部１１の内面に向けて移動させて躯体外壁部１１を内側から押圧することにより、ストッパ部３４と押圧部材２９とにより躯体外壁部１１を挟み込んで、躯体外壁部１１に対して足場本体１２を締結することができる。このようにして躯体外壁部１１に締結された足場本体１２に現場作業員が乗り込んで種々の建築作業を行う。所定の建築作業が終了、例えば上層階側の躯体部とその一部である躯体外壁部１１ａ（図９参照）を建築し終えたら、足場本体１２を躯体外壁部１１から取り外してクレーン等の起重機により足場本体１２を上昇させた後、足場本体１２を躯体外壁部１１，１１ａに再び締結して建築作業の続きを行う。
【００２８】
図９は足場本体を上昇移動させている状態を示す図であり、図１０は足場本体を上層階側の躯体外壁部に締結するために締結アームを締結位置に移動させた状態を示す図である。足場本体１２を盛り替える際には、締結アーム１７と躯体外壁部１１，１１ａとの衝突を回避するために、図９に示すように、締結アーム１７を衝突回避位置に旋回移動させておく。足場本体１２はガイドブラケット３９により案内されることで、安定した状態で迅速に上昇移動させることができる。
【００２９】
図１０に示すように、足場本体１２を所定の位置まで上昇移動させた後は、締結位置に旋回させた締結アーム１７を回転止めピン２６を用いて締結位置で保持し、次いで、揺動部材３２が躯体外壁部１１，１１ａに当接するまで足場本体１２を降下させる。図５に示す場合と同様、揺動部材３２はストッパ部３４が躯体外壁部１１から離れる方向に回転移動しているため、ストッパ部３４を躯体外壁部１１の上面に衝突させるおそれがなく、延設部３３を躯体外壁部１１，１１ａの上面に接触させることにより揺動部材３２をストッパ部３４を躯体外壁部１１，１１ａの外面に接触させる方向に回転させて、ストッパ部３４の内面を躯体外壁部１１，１１ａの外面に接触させることができる。
【００３０】
躯体外壁部１１，１１ａの外面にストッパ部３４の内面を接触させた状態で、押圧部材２９により躯体外壁部１１，１１ａを内側から押圧することにより、ストッパ部３４と押圧部材２９とにより躯体外壁部１１，１１ａを挟み込んで、躯体外壁部１１，１１ａに対して足場本体１２を締結することができる。このようにして躯体外壁部１１，１１ａに締結された足場本体１２に現場作業員が乗り込んで建築作業の続きを行う。
【００３１】
図１１は他の実施の形態である足場用締結具を示す斜視図である。なお、図２に示す足場用締結具１６を構成する部材と共通する部材には同一の符号を付して重複した説明を省略する。
【００３２】
図１１に示す足場用締結具５０の補助部材１８にはその両端部から突出した状態で高さ位置調整棒材５１が長手方向に摺動自在に組み込まれており、この高さ位置調整棒材５１の上端部には締結アーム１７に平行して配置され高さ位置調整棒材５１と一体として摺動移動する連結部材５２が直角に固定されている。補強部材１９には連結部材５２に対向して配置される連結プレート５３が固定されており、連結部材５２と連結プレート５３のそれぞれには送りねじ５４がねじ結合されており、送りねじ５４に設けられたハンドル５５を回転させることにより、連結部材５２と連結プレート５３との間の間隔を調整することができる構造となっている。このような送りねじ５４とハンドル５５は、締結アーム１７に対する高さ位置調整棒材５１の高さ方向の位置を調整するねじ送り機構を構成している。
【００３３】
この高さ位置調整棒材５１の垂直支柱１３に対向して配置される外面には回転軸５６を形成する棒状部材が補助部材１８の長手方向に沿って固定されており、回転軸５６のそれぞれには、これに回転自在に装着される筒部５７と、筒部５７に一体として設けられるとともにピン孔５８ａが貫通して形成される連結部５８とにより構成される旋回金具５９が装着されている。このような足場用締結具１６は、ハンドル５５を操作して垂直支柱１３に対する締結アーム１７の高さ位置を調節することにより、建築物１０の建築誤差や足場用締結具５０の取付け誤差を吸収して、揺動部材３２の延設部３３を躯体外壁部１１の上面に確実に接触させることができる。
【００３４】
本発明は前記実施の形態に限定されるものではなく、その要旨を逸脱しない範囲で種々変更可能である。たとえば、締結アーム１７は垂直支柱１３の長手方向に沿って配置される回転軸２０を介して足場本体１２にヒンジ結合されることにより、水平方向に旋回移動するように構成されているが、垂直支柱１３の長手方向に対して直角に配置される回転軸を介してヒンジ結合することにより、締結アームが上下方向に旋回するように構成しても良く、この場合には、締結アームが躯体外壁部１１の内側に向けて突出する締結位置から上下いずれかの方向に締結アームを旋回させることにより、締結アームを外壁に沿って配置される衝突回避位置に移動させることができる。足場用締結具１６，５０は、躯体部の一部を構成する躯体外壁部１１，１１ａに限られず、建築物１０の骨格を形成するとともに躯体部の一部を構成する梁材等に足場本体１２を締結する場合にも用いることができる。
【図面の簡単な説明】
【００３５】
【図１】足場本体を躯体外壁部に締結した状態を示す外観斜視図である。
【図２】（Ａ）は図１に示す本発明の一実施の形態である足場用締結具を示す斜視図であり、（Ｂ）は揺動部材を示す斜視図である。
【図３】図１に示すガイドブラケットの斜視図である。
【図４】足場本体を躯体外壁部に接近させている状態を示す図である。
【図５】躯体外壁部に接近させた足場本体を降下させている状態を示す図である。
【図６】ガイドレールにガイドブラケットを取り付けた状態を上側から示す図である。
【図７】躯体外壁部に向けて足場用締結具を降下させているときの揺動部材の回転状態を拡大して示す説明図であり、（Ａ）は躯体外壁部接触前の揺動部材を示し、（Ｂ）は躯体外壁部接触後の揺動部材を示す。
【図８】足場本体を躯体外壁部に締結した状態を示す図である。
【図９】足場本体を上昇移動させている状態を示す図である。
【図１０】足場本体を上層階側の躯体外壁部に締結するために締結アームを締結位置に移動させた状態を示す図である。
【図１１】他の実施の形態である足場用締結具を示す斜視図である。
【符号の説明】
【００３６】
１０  建築物
１１，１１ａ  躯体外壁部
１２  足場本体
１３  垂直支柱
１４  水平梁材
１６  足場用締結具
１７  締結アーム
２９  押圧部材
３２  揺動部材
３３  延設部
３４  ストッパ部
【図１】
2006348665.tif 000003
【図２】
2006348665.tif 000004
【図３】
2006348665.tif 000005
【図４】
2006348665.tif 000006
【図５】
2006348665.tif 000007
【図６】
2006348665.tif 000008
【図７】
2006348665.tif 000009
【図８】
2006348665.tif 000010
【図９】
2006348665.tif 000011
【図１０】
2006348665.tif 000012
【図１１】
2006348665.tif 000013